(57)【要約】【課題】電子番組表において表示を制限する処理を行いながら、視聴制限の対象となっている番組を視聴制限する必要があるか否かをユーザに判断させることが可能な受信装置を提供する。【解決手段】このテレビジョン装置１００は、受信部３と、表示部２と、受信した複数の番組情報のうちの所定の番組情報を制限条件に基づいて表示制限処理を行うとともに、表示制限処理を行った所定の番組情報の制限条件がユーザに識別可能なように、電子番組表を表示部２に表示する制御を行うように構成されているＣＰＵ１とを備える。【選択図】図７
2015162867.tif 000002
【特許請求の範囲】
【請求項１】
所定期間分の複数の番組情報を含む放送波を受信する受信部と、
前記受信部が受信した前記複数の番組情報に基づいて、電子番組表を外部表示部または内蔵表示部に表示する制御を行うように構成されている制御部とを備え、
前記制御部は、受信した前記複数の番組情報のうちの所定の前記番組情報に対して制限条件に基づいて前記電子番組表の表示を制限する表示制限処理を行うとともに、前記表示制限処理を行った前記所定の番組情報の前記制限条件がユーザに識別可能なように、前記電子番組表を前記外部表示部または前記内蔵表示部に表示する制御を行うように構成されている、受信装置。
【請求項２】
前記制御部は、受信した前記複数の番組情報のうちの所定の前記番組情報に対して複数の前記制限条件に基づいてそれぞれ前記表示制限処理を行うとともに、前記複数の制限条件のそれぞれに対応した異なる表示態様を用いて、前記表示制限処理を行った前記所定の番組情報の前記複数の制限条件をユーザが互いに識別可能なように、前記電子番組表を前記外部表示部または前記内蔵表示部に表示する制御を行うように構成されている、請求項１に記載の受信装置。
【請求項３】
前記制御部は、前記複数の制限条件のそれぞれに対応した前記電子番組表の欄における異なる表示態様として、識別可能な文字および識別可能な背景の表示態様のうちの少なくとも１つを用いて、前記表示制限処理を行った前記所定の番組情報の前記複数の制限条件をユーザが互いに識別可能なように、前記電子番組表を前記外部表示部または前記内蔵表示部に表示する制御を行うように構成されている、請求項２に記載の受信装置。
【請求項４】
前記識別可能な文字は、制限された前記番組情報の番組名と、番組ジャンル名と、番組出演者名とのうちの少なくとも１つを含み、
前記識別可能な背景は、制限された前記番組情報に対応する前記電子番組表の欄の背景の識別可能な表示色を含む、請求項３に記載の受信装置。
【請求項５】
前記制限条件は、番組名と、番組キーワードと、放送時間帯と、番組ジャンル名と、番組出演者名と、放送局情報とのうちの少なくとも１つを含む、請求項１〜４のいずれか１項に記載の受信装置。
【請求項６】
前記表示制限処理の識別可能な表示態様は、ユーザにより設定可能なように構成されている、請求項１〜５のいずれか１項に記載の受信装置。
【発明の詳細な説明】
【技術分野】
【０００１】
この発明は、受信装置に関し、特に、番組情報を含む放送波を受信する受信部を備えた受信装置に関する。
【背景技術】
【０００２】
従来、番組情報を含む放送波を受信する受信部を備えた受信装置が知られている（たとえば、特許文献１参照）。
【０００３】
上記特許文献１には、ＥＰＧ情報（番組情報）を取得する放送信号受信処理部を備えた視聴制限装置が開示されている。この視聴制限装置では、視聴制限要否判定手段が設けられており、視聴制限要否判定手段は、番組情報に基づいて電子番組表を表示する際に、視聴制限の対象となっている全ての番組の番組情報を電子番組表において非表示処理するように構成されている。これにより、視聴制限の対象となっている番組の番組情報は、ユーザに視認されない。
【先行技術文献】
【特許文献】
【０００４】
【特許文献１】特開２００９−２１２５９５号公報
【発明の概要】
【発明が解決しようとする課題】
【０００５】
しかしながら、上記特許文献１の視聴制限装置では、視聴制限の対象となっている番組のうちの全ての番組の番組情報を、電子番組表において非表示処理することによりユーザに視認されないように構成されている一方、一般的には、視聴制限の対象となっている番組のうちの一部の番組は、ユーザにとって視聴制限する必要がない場合がある。この場合、上記の視聴制限装置では、ユーザにとって視聴制限する必要がない番組の番組情報も電子番組表において非表示処理される（ユーザが視認できない）ため、ユーザは、視聴制限の対象となっている番組を視聴制限する必要があるか否かを判断することができないという問題点がある。
【０００６】
この発明は、上記のような課題を解決するためになされたものであり、この発明の１つの目的は、電子番組表において表示を制限する処理を行いながら、視聴制限の対象となっている番組を視聴制限する必要があるか否かをユーザに判断させることが可能な受信装置を提供することである。
【課題を解決するための手段】
【０００７】
上記目的を達成するために、この発明の一の局面による受信装置は、所定期間分の複数の番組情報を含む放送波を受信する受信部と、受信部が受信した複数の番組情報に基づいて、電子番組表を外部表示部または内蔵表示部に表示する制御を行うように構成されている制御部とを備え、制御部は、受信した複数の番組情報のうちの所定の番組情報に対して制限条件に基づいて電子番組表の表示を制限する表示制限処理を行うとともに、表示制限処理を行った所定の番組情報の制限条件がユーザに識別可能なように、電子番組表を外部表示部または内蔵表示部に表示する制御を行うように構成されている。
【０００８】
この発明の一の局面による受信装置では、上記のように、制御部を、表示制限処理を行った所定の番組情報の制限条件がユーザに識別可能なように、電子番組表を外部表示部または内蔵表示部に表示する制御を行うように構成することによって、ユーザに、表示制限処理を行った所定の番組情報の制限条件を視認させて識別させることができるので、電子番組表において表示を制限する処理を行いながら、視聴制限の対象となっている所定の番組を視聴制限する必要があるか否かをユーザに判断させることができる。
【０００９】
上記一の局面による受信装置において、好ましくは、制御部は、受信した複数の番組情報のうちの所定の番組情報に対して複数の制限条件に基づいてそれぞれ表示制限処理を行うとともに、複数の制限条件のそれぞれに対応した異なる表示態様を用いて、表示制限処理を行った所定の番組情報の複数の制限条件をユーザが互いに識別可能なように、電子番組表を外部表示部または内蔵表示部に表示する制御を行うように構成されている。このように構成すれば、複数の制限条件が異なる表示態様を用いて電子番組表に表示されるので、複数の制限条件をユーザに認識させ易くすることができる。
【００１０】
この場合、好ましくは、制御部は、複数の制限条件のそれぞれに対応した電子番組表の欄における異なる表示態様として、識別可能な文字および識別可能な背景の表示態様のうちの少なくとも１つを用いて、表示制限処理を行った所定の番組情報の複数の制限条件をユーザが互いに識別可能なように、電子番組表を外部表示部または内蔵表示部に表示する制御を行うように構成されている。このように構成すれば、識別可能な文字および識別可能な背景を視認することによって、ユーザは、容易に、表示制限処理が行われた所定の番組情報の複数の制限条件を識別することができる。
【００１１】
上記識別可能な文字および識別可能な背景を用いる受信装置において、好ましくは、制御部は、識別可能な文字は、制限された番組情報の番組名と、番組ジャンル名と、番組出演者名とのうちの少なくとも１つを含み、識別可能な背景は、制限された番組情報に対応する電子番組表の欄の背景の識別可能な表示色を含む。このように構成すれば、表示制限処理が行われた番組の番組情報に対応する制限条件の内容の詳細を視認することができるので、ユーザは、より確実に表示制限処理が行われた所定の番組情報の複数の制限条件を識別することができる。
【００１２】
上記一の局面による受信装置において、好ましくは、制限条件は、番組名と、番組キーワードと、放送時間帯と、番組ジャンル名と、番組出演者名と、放送局情報とのうちの少なくとも１つを含む。このように構成すれば、番組名と、番組キーワードと、放送時間帯と、番組ジャンル名と、番組出演者名と、放送局情報とのうちの少なくとも１つに基づいて、容易に、制限条件を設定することができる。
【００１３】
上記一の局面による受信装置において、好ましくは、表示制限処理の識別可能な表示態様は、ユーザにより設定可能なように構成されている。このように構成すれば、表示制限処理の識別可能な表示態様を、ユーザの嗜好に応じて設定することができる。
【発明の効果】
【００１４】
本発明によれば、上記のように、電子番組表において表示を制限する処理を行いながら、視聴制限の対象となっている番組を視聴制限する必要があるか否かをユーザに判断させることができる。
【図面の簡単な説明】
【００１５】
【図１】本発明の第１実施形態によるテレビジョン装置の全体構成を示したブロック図である。
【図２】本発明の第１実施形態による表示制限処理および表示態様変更処理前の電子番組表を示した図である。
【図３】本発明の第１実施形態による電子番組表およびオプション画面を示した図である。
【図４】本発明の第１実施形態による制限条件設定画面（パレンタルロック設定画面）を示した図である。
【図５】本発明の第１実施形態による制限条件の識別可能な表示態様の設定画面（パレンタルロックの条件の表示設定画面）を示した図である。
【図６】本発明の第１実施形態による制限条件（パレンタルロックの条件）の優先順位の設定画面を示した図である。
【図７】本発明の第１実施形態による表示制限処理および表示態様変更処理後の電子番組表を示した図である。
【図８】本発明の第１実施形態によるテレビジョン装置の電子番組表の表示処理を説明するためのフローチャートである。
【図９】本発明の第２実施形態による制限条件設定画面（パレンタルロック設定画面）を示した図である。
【図１０】本発明の第３実施形態によるハードディスクレコーダ装置の全体構成を示したブロック図である。
【発明を実施するための形態】
【００１６】
以下、本発明の実施形態を図面に基づいて説明する。
【００１７】
（第１実施形態）
図１〜図７を参照して、本発明の第１実施形態によるテレビジョン装置１００の構成について説明する。
【００１８】
第１実施形態によるテレビジョン装置１００は、図１に示すように、ＣＰＵ（Ｃｅｎｔｒａｌ  Ｐｒｏｃｅｓｓｉｎｇ  Ｕｎｉｔ）１と、表示部２と、受信部３と、復調部４と、メモリ５と、ＲＡＭ（Ｒａｎｄｏｍ  Ａｃｃｅｓｓ  Ｍｅｍｏｒｙ）６と、操作受信部７と、ＯＳＤ（Ｏｎ  Ｓｃｒｅｅｎ  Ｄｉｓｐｌａｙ）部８と、信号分離部９と、画像信号処理部１０と、リモコン１１とを含む。なお、ＣＰＵ１は、本発明の「制御部」の一例である。また、表示部２は、本発明の「内蔵表示部」の一例である。
【００１９】
また、図１に示すように、受信部３は、受信アンテナ３ａおよび受信チューナ（図示せず）を有し、受信アンテナ３ａは、各放送事業者から配信されるテレビジョン放送波を受信するように構成されている。また、受信チューナは、所定の伝送チャンネルを選局して放送事業者毎のテレビジョン放送波を受信するように構成されている。そして、テレビジョン放送波は、映像音声信号およびＳＩ（Ｓｅｒｖｉｃｅ  Ｉｎｆｏｒｍａｔｉｏｎ）などが多重化されて構成されており、ＳＩには、所定の期間分（たとえば、１週間分）の番組の放送時間および番組の内容説明などの番組情報を含むＥＩＴ（Ｅｖｅｎｔ  Ｉｎｆｏｒｍａｔｉｏｎ  Ｔａｂｌｅ）が含まれている。
【００２０】
そして、図１に示すように、復調部４は、復調回路等を含み、受信部３により受信されたテレビジョン放送波の誤り訂正を行うとともに、ＴＳ（Ｔｒａｎｓｐｏｒｔ  Ｓｔｒｅａｍ）信号に復調するように構成されている。また、復調されたＴＳ信号は、信号分離部９によって、映像音声信号と、ＳＩとに、分離された後、映像音声信号は、画像信号処理部１０に伝送されるとともに、ＳＩは、ＣＰＵ１によりメモリ５に格納されるように構成されている。画像信号処理部１０は、復号部を含み、映像音声信号を復号化（デコード）して、液晶パネル等を含む表示部２に復号化された映像音声信号を出力し、表示させるように構成されている。
【００２１】
また、図１に示すように、ＲＡＭ６は、ＣＰＵ１の処理動作に伴うデータ、および、表示部２に表示するための画像等を、一時的に格納するように構成されている。また、リモコン１１は、ユーザの操作を受け付けるように構成されている。そして、リモコン１１は、発光素子等を含み、受け付けたユーザの操作情報を、発光素子から赤外光を用いて、操作受信部７に送信するように構成されている。そして、操作受信部７は、受光素子等を含み、受光素子は、リモコン１１から発光された赤外光を受光して、ユーザの操作情報を取得するように構成されている。そして、操作受信部７は、取得したユーザの操作情報をＣＰＵ１に伝送するように構成されている。
【００２２】
また、図１に示すように、ＯＳＤ部８は、ＣＰＵ１の指令に基づいて、後述する電子番組表（図２、図３および図７参照）または設定画面等（図４、図５および図６参照）の画像データを出力するように構成されている。
【００２３】
そして、図２に示すように、ＣＰＵ１は、受信部３が受信した複数の番組情報に基づいて、電子番組表を、ＯＳＤ部８を介して表示部２に表示する制御を行うように構成されている。たとえば、図２に示すように、ＣＰＵ１は、表示部２に、現在時刻が１３：００の場合に、時刻１３：００〜１９：００の範囲で、放送局番号がＣＨ１、ＣＨ２、ＣＨ３およびＣＨ４の番組（「番組１」〜「番組１０」）の番組名および番組説明文を表形式により表示する制御を行うように構成されている。また、ＣＰＵ１は、後述する制限条件が設定されていない場合には、「番組１」〜「番組１０」のうちの全ての番組の番組情報を表示部２に表示する制御を行うように構成されている。
【００２４】
そして、図３に示すように、ＣＰＵ１は、ユーザの操作に基づいて、表示部２に表示される電子番組表の番組（「番組１」〜「番組１０」）のうちから、１つの番組を選択可能に構成されており、選択された番組（たとえば、図３の「番組１０」）に対応するオプション画面（図３参照）を表示部２に表示する制御を行うように構成されている。そして、オプション画面は、パレンタルロック設定（制限条件設定）の項目などの項目を含み、パレンタルロック設定の項目などの項目は、ユーザの操作に基づいて、選択可能に構成されている。そして、パレンタルロック設定の項目がユーザの操作に基づいて選択された場合には、ＣＰＵ１により、パレンタルロック設定画面（制限条件設定画面）（図４参照）が表示部２に表示されるように構成されている。
【００２５】
ここで、第１実施形態では、図４に示すように、制限条件（パレンタルロック設定）の設定可能な項目は、番組名と、番組キーワードと、放送時間帯と、番組ジャンル名と、番組出演者名と、放送局情報とを含む。具体的には、ＣＰＵ１は、表示部２に、番組名と、番組キーワードと、放送時間帯と、番組ジャンル名と、番組出演者名と、放送局と、項目のそれぞれに対応して、ユーザの操作により選択可能に構成されたチェックボックス（操作部表示）とを表示する制御を行うように構成されている。そして、ＣＰＵ１は、ユーザの操作に基づいて、チェックボックスが選択された（図４のチェック表示）項目を制限条件に設定するように構成されている。
【００２６】
たとえば、図３に示す電子番組表において、ユーザの操作により「番組１０」が選択され、かつ、パレンタルロック設定が選択された場合には、ＣＰＵ１は、ユーザの操作に基づいて、「番組１０」に対応した、番組名（「番組１０」）と、番組ジャンル名（「賭博」）と、放送時間帯（「１３：００〜１９：００」）と、番組キーワードと、番組出演者名（「俳優Ａ」）と、放送局（「ＣＨ４」）とのうちのいずれかを、制限条件に設定可能に構成されており、設定された制限条件は、メモリ５に記憶するように構成されている。そして、ＣＰＵ１は、ユーザの設定操作（たとえば、図４の「表示設定へ進む」を選択操作する等）に基づいて、表示設定の画面（図５参照）を表示部２に表示させる制御を行うように構成されている。
【００２７】
ここで、第１実施形態では、図５および図６に示すように、ＣＰＵ１は、上記した制限条件（番組名、番組ジャンル名等）に基づいて、受信した複数の番組情報のうち、上記した制限条件（番組名、番組ジャンル名等）が含まれている場合には、番組説明文等を表示制限する処理を行うように構成されている。また、ＣＰＵ１は、表示制限処理を行った番組情報の制限条件がユーザに識別可能なように、表示部２に、後述する識別可能な文字および識別可能な背景（識別可能な表示態様）（図７参照）を、表示するように構成されている。
【００２８】
また、第１実施形態では、図５に示すように、上記した識別可能な表示態様は、ユーザにより設定可能なように構成されている。具体的には、図５に示すように、ＣＰＵ１は、表示部２に、番組名を表示するか否か、番組ジャンル名を表示するか否か、背景表示（番組情報の欄の背景色等）を変更するか否か、番組キーワードを表示するか否か、番組出演者名を表示するか否か、などを、ユーザの操作に基づいて設定可能に構成されたチェックボックスを表示するように構成されている。また、ＣＰＵ１は、ユーザの操作に基づいて、上記の文字の色（黒または赤など）と、番組情報の欄の背景色とを設定可能に構成されている。そして、ＣＰＵ１は、上記した識別可能な表示態様の設定内容をメモリ５に記憶するように構成されている。たとえば、図５に示すように、ＣＰＵ１は、表示部２に表示されている「登録」をユーザの操作により選択された場合に、チェックボックスにおいて選択されている識別可能な表示態様の設定内容をメモリ５に記憶するように構成されている。
【００２９】
そして、上記のように設定された場合に、ＣＰＵ１は、取得した番組情報に番組名「番組１０」と、番組ジャンル名「賭博」と、番組出演者名「俳優Ａ」とのうちの少なくとも１つが含まれる場合には、少なくとも１つが含まれる電子番組表の番組情報の欄の番組名は非表示とし、番組ジャンル名は黒字により表示し、番組キーワードは非表示とし、番組出演者名は黒字により表示し、背景表示を赤色として表示する制御を行うように構成されている。
【００３０】
また、ＣＰＵ１は、識別可能な表示態様の設定内容を、追加して設定することが可能（たとえば、「番組１０」を選択して設定した後に、「番組２」を選択して設定することなど）に構成されており、追加して設定された内容もメモリ５に記憶するように構成されている。たとえば、ＣＰＵ１は、上記した「番組１０」の制限条件の設定と識別可能な表示態様の設定とを行った後に、ＣＰＵ１は、「番組２」の制限条件の設定（制限条件を、番組名「番組２」）と識別可能な表示態様の設定（文字は非表示として、背景の表示は変更なし（空欄））とを行った場合には、制限条件に番組名「番組２」が追加される。これにより、図６に示すように、制限条件は、番組名「番組２」および「番組１０」と、番組ジャンル名「賭博」と、番組出演者名「俳優Ａ」とが含まれるようになる。また、ＣＰＵ１は、より後に設定された制限条件の（後述する）優先順位をより高く設定するように構成されている。
【００３１】
また、図６に示すように、ＣＰＵ１は、一つの番組情報に複数の異なる識別可能な表示態様が含まれる場合には、設定された優先順位に基づいて、表示部２に複数の制限条件のうちの優先順位が最も高い制限条件を識別可能に表示するように構成されている。具体的には、図２に示すように、「番組２」の番組出演者名に、「俳優Ａ」が含まれている場合には、図６に示すように、ＣＰＵ１は、制限条件のうちの優先順位が最も高い制限条件に対応する識別可能な表示態様を用いて、表示部２に電子番組表を表示する制御を行うように構成されている。この場合、制限条件「番組２」は、制限条件「俳優Ａ」よりも優先順位が高いので、ＣＰＵ１は、表示部２に、制限条件「番組２」を識別可能な表示態様を用いて電子番組表を表示する制御を行うように構成されている。すなわち、電子番組表の番組名「番組２」の欄は、空欄として表示部２に表示されるように構成されている。
【００３２】
また、図６に示すように、ＣＰＵ１は、ユーザの操作に基づいて、制限条件の優先順位を変更可能に構成されている。具体的には、ＣＰＵ１は、パレンタルロックの条件の優先順位の設定画面（図６参照）を表示部２に表示して、たとえば、ユーザの操作により、優先順位が１番である番組名「番組２」の「順位を下げる」が選択された場合には、番組名「番組２」と、優先順位が２番である番組名「番組１０」との順位を入れ替えて、設定するように構成されている。そして、ＣＰＵ１は、ユーザの操作により（たとえば、図６の「登録」が選択された場合等）、設定された優先順位をメモリ５に記憶するように構成されている。
【００３３】
ここで、第１実施形態では、図７に示すように、ＣＰＵ１は、受信した複数の番組情報のうちの所定の番組情報を、上記した複数の制限条件に基づいてそれぞれ表示制限処理を行うとともに、上記した複数の制限条件のそれぞれに対応した異なる表示態様を用いて、表示制限処理を行った番組情報の上記した複数の制限条件をユーザが互いに識別可能なように、電子番組表を表示部２に表示する制御を行うように構成されている。
【００３４】
具体的には、図７に示すように、ＣＰＵ１は、制限条件がメモリ５に記憶されており、かつ、番組情報に制限条件を含む場合には、制限条件に基づいて表示制限処理を行うように構成されている。たとえば、図７に示すように、「番組１０」（図７符号Ａ参照）は、上記した番組名と、番組ジャンル名と、番組出演者名との制限条件に基づいて、番組説明文が表示制限処理が行われるとともに、制限条件が識別可能な表示態様に変更する処理が行われている。たとえば、ＣＰＵ１は、表示部２に、制限条件の番組ジャンル名である「賭博」と、番組出演者名である「俳優Ａ」との文字を表示させることによって、ユーザに制限条件を視認させるように構成されている。
【００３５】
また、図７に示すように、また、ＣＰＵ１は、「番組１０」の欄の背景の表示（赤色の表示）を表示制限処理が行われていない番組（たとえば、「番組７」および「番組８」など）と異なるように表示部２に表示させることによって、ユーザに制限条件を視認させるように構成されている。この場合、ユーザは、上記したユーザの操作による制限条件の表示設定（図５参照）の際に、背景の表示態様と制限条件とを対応させて記憶する（たとえば、背景の表示が「赤色」の場合は、番組ジャンル「賭博」を意味して、表示が空欄の場合は、番組名「番組２」を意味すること等を記憶する）ことにより、背景の表示態様を視認することによって、制限条件を識別することが可能となる。
【００３６】
たとえば、図７に示すように、ＣＰＵ１は、電子番組表を表示部２に「番組２」（図７符号Ｂ参照）の欄を空欄として表示するように構成されている。この場合、ユーザは、電子番組表における空欄を上記した制限条件である番組名「番組２」により表示制限処理が行われたことを認識することができる。また、「番組４」（図７符号Ｃ参照）と、「番組５」（図７符号Ｄ参照）とは、識別可能な文字は非表示として、背景の表示態様を変更する制限条件に基づいて、電子番組表が表示部２に表示された例である。また、「番組９」（図７符号Ｅ参照）は、背景の表示態様を変更しないで、番組ジャンル名「暴力」のみを表示する制限条件に基づいて、電子番組表が表示部２に表示された例である。
【００３７】
そして、図７に示すように、ユーザは、表示部２に表示された電子番組表を見ることによって、制限条件を識別することができるので、制限条件に応じて、パレンタルロック設定（視聴制限）を解除すること等が可能となる。たとえば、子供のユーザに対して設定した制限条件により表示制限処理および表示態様を変更する処理をされた番組情報が表示部２に表示された場合に、視聴しているユーザが成人のみの場合は、表示制限処理が行われた番組が視聴制限される必要はないと判断することが可能である。そして、ＣＰＵ１は、上記した視聴制限されて表示制限処理および表示態様を変更する処理がされた番組に対して、ユーザの操作に基づいて、視聴制限を解除することが可能に構成されている。たとえば、ＣＰＵ１は、ユーザの入力操作に基づいて、予め設定された暗証番号が入力されることによって、番組の視聴制限を解除することが可能に構成されている。また、ＣＰＵ１は、表示部２に、視聴制限を解除された番組に対応する番組情報を表示制限処理を行わない状態で、電子番組表を表示する制御を行うように構成されている。
【００３８】
次に、図８を参照して、第１実施形態によるテレビジョン装置１００の電子番組表表示処理フローについて説明する。テレビジョン装置１００における処理は、ＣＰＵ１により行われる。
【００３９】
まず、図８に示すように、ステップＳ１において、表示部２に表示する放送局と、期間とが設定される。たとえば、受信可能な放送局が「ＣＨ１」と、「ＣＨ２」と、「ＣＨ３」と、「ＣＨ４」との場合には、「ＣＨ１」と、「ＣＨ２」と、「ＣＨ３」と、「ＣＨ４」との情報が表示部２に表示されるとともに、現在の時刻が１３：００の場合には、１３：００〜１９：００の期間が設定される。その後、ステップＳ２に進む。そして、ステップＳ２において、ステップＳ１において設定された範囲の番組情報の取得が行われる。その後、ステップＳ３に進む。
【００４０】
そして、ステップＳ３において、メモリ５に制限条件が登録されているか否かが判断される。メモリ５に制限条件が登録されている場合には、ステップＳ４に進み、メモリ５に制限条件が登録されていない場合には、ステップＳ６に進む。
【００４１】
そして、ステップＳ４において、取得した番組情報に制限条件が含まれているか否かが判断される。すなわち、取得した番組情報と、メモリ５に記憶されている制限条件とを比較して、一致する内容があるか否かが判断される。取得した番組情報に制限条件が含まれている場合には、ステップＳ５に進み、取得した番組情報に制限条件が含まれていない場合には、ステップＳ６に進む。
【００４２】
そして、ステップＳ５において、表示制限処理および表示態様変更処理が行われる。すなわち、制限条件に対応した表示態様を用いた電子番組表が生成される。また、同一の番組に複数の制限条件に対応した表示態様が含まれる場合には、上記した制限条件の優先順位（図６参照）に基づいて、優先順位が上位の制限条件に対応した表示態様を用いた電子番組表の生成が行われる。その後、ステップＳ６に進む。
【００４３】
そして、ステップＳ６において、表示部２に電子番組表の表示が行われる（図７参照）。その後、テレビジョン装置１００における電子番組表の表示処理は終了される。
【００４４】
第１実施形態では、以下のような効果を得ることができる。
【００４５】
第１実施形態では、上記のように、ＣＰＵ１を、表示制限処理を行った所定の番組情報の制限条件がユーザに識別可能なように、電子番組表を表示部２に表示する制御を行うように構成することによって、ユーザに、表示制限処理を行った所定の番組情報の制限条件を視認させて識別させることができるので、電子番組表において表示を制限する処理を行いながら、視聴制限の対象となっている所定の番組を視聴制限する必要があるか否かをユーザに判断させることができる。
【００４６】
また、第１実施形態では、上記のように、ＣＰＵ１を、受信した複数の番組情報のうちの所定の番組情報に対して複数の制限条件に基づいてそれぞれ表示制限処理を行うとともに、複数の制限条件のそれぞれに対応した異なる表示態様を用いて、表示制限処理を行った所定の番組情報の複数の制限条件をユーザが互いに識別可能なように、電子番組表を表示部２に表示する制御を行うように構成する。これにより、複数の制限条件が異なる表示態様を用いて電子番組表に表示されるので、複数の制限条件をユーザに認識させ易くすることができる。
【００４７】
また、第１実施形態では、上記のように、ＣＰＵ１を、複数の制限条件のそれぞれに対応した電子番組表の欄における異なる表示態様として、識別可能な文字および識別可能な背景の表示態様のうちの少なくとも１つを用いて、表示制限処理を行った所定の番組情報の複数の制限条件をユーザが互いに識別可能なように、電子番組表を表示部２に表示する制御を行うように構成する。これにより、識別可能な文字および識別可能な背景を視認することによって、ユーザは、容易に、表示制限処理が行われた所定の番組情報の複数の制限条件を識別することができる。
【００４８】
また、第１実施形態では、上記のように、ＣＰＵ１を、識別可能な文字は、制限された番組情報の番組名と、番組ジャンル名と、番組出演者名とのうちの少なくとも１つを含み、識別可能な背景は、制限された番組情報に対応する電子番組表の欄の背景の識別可能な表示色を含む。これにより、表示制限処理が行われた番組の番組情報に対応する制限条件の内容の詳細を視認することができるので、ユーザは、より確実に表示制限処理が行われた所定の番組情報の複数の制限条件を識別することができる。
【００４９】
また、第１実施形態では、上記のように、制限条件は、番組名と、番組キーワードと、放送時間帯と、番組ジャンル名と、番組出演者名と、放送局情報を含む。これにより、番組名と、番組キーワードと、放送時間帯と、番組ジャンル名と、番組出演者名と、放送局情報とに基づいて、容易に、制限条件を設定することができる。
【００５０】
また、第１実施形態では、上記のように、表示制限処理の識別可能な表示態様を、ユーザにより設定可能なように構成する。これにより、表示制限処理の識別可能な表示態様を、ユーザの嗜好に応じて設定することができる。
【００５１】
（第２実施形態）
次に、図１および図９を参照して、第２実施形態によるテレビジョン装置１０１の構成について説明する。第２実施形態では、選択された番組に対応して構成される制限条件の設定画面（パレンタルロック設定画面）（図４参照）を表示部に表示するように構成されていた第１実施形態によるテレビジョン装置１００と異なり、任意のキーワードを制限条件として設定可能に構成された制限条件の設定画面（図９参照）を表示部に表示するように構成されている。
【００５２】
図１に示すように、第２実施形態によるテレビジョン装置１０１は、ＣＰＵ１ａを含む。
【００５３】
ここで、第２実施形態では、図９に示すように、ＣＰＵ１ａは、ユーザの操作に基づいて、制限条件の設定画面（パレンタルロック設定画面）を表示部２に表示する制御を行うように構成されている。そして、図９に示すように、制限条件の設定画面は、ユーザの操作に基づいて、任意のキーワードを入力可能に構成された表示と、入力されたキーワードが番組情報のうちのいずれの情報カテゴリ（たとえば、番組名、番組ジャンル名、番組出演者名、番組説明文等）に含まれた場合に表示制限処理を行うかを設定するためのチェックボックスの表示とを含む。そして、図９に示すように、ＣＰＵ１ａは、ユーザの操作に基づいて、キーワードとして「俳優Ａ」が入力され、番組名と、番組出演者名と、番組説明文とのチェックボックスが選択された後に、「表示設定に進む」の操作部表示が選択された場合に、チェックされたキーワードを制限条件としてメモリ５に記憶する制御を行うように構成されている。そして、ＣＰＵ１ａは、制限条件の表示設定画面（図５参照）を表示部２に表示する制御を行い、電子番組表が表示部２に表示された際に、上記した制限条件がユーザにとって識別可能な表示態様を、設定するように構成されている。
【００５４】
そして、ＣＰＵ１ａは、電子番組表を表示部２に表示する際に、取得した番組情報のうちの選択された情報カテゴリ（たとえば、番組名、番組出演者名、番組説明文）（図９参照）に上記したキーワードが含まれている場合には、上記したユーザにとって識別可能な表示態様を用いて、電子番組表を生成して、表示部２に表示する制御を行うように構成されている。また、第２実施形態によるテレビジョン装置１０１のその他の構成は、第１実施形態におけるテレビジョン装置１００と同様である。
【００５５】
第２実施形態では、以下のような効果を得ることができる。
【００５６】
第２実施形態では、上記のように、制限条件の設定画面は、ユーザの操作に基づいて、任意のキーワードを入力可能に構成された表示と、入力されたキーワードが番組情報のうちのいずれの情報カテゴリに含まれた場合に表示制限処理を行うかを設定するための表示とを含む。これにより、任意のキーワードを制限条件として設定することができるので、よりユーザの嗜好に応じた制限条件を設定することができる。また、第２実施形態によるテレビジョン装置１０１のその他の効果は、第１実施形態におけるテレビジョン装置１００と同様である。
【００５７】
（第３実施形態）
次に、図１０を参照して、第３実施形態によるハードディスクレコーダ装置１０２の構成について説明する。第３実施形態では、本発明の受信装置としてテレビジョン装置を用いた第１実施形態と異なり、本発明の受信装置としてハードディスクレコーダ装置を用いる。
【００５８】
図１０に示すように、第３実施形態によるハードディスクレコーダ装置１０２は、ＣＰＵ１ｂと、受信部３と、復調部４と、ハードディスクドライブ５ａと、ＲＡＭ６と、操作受信部７と、ＯＳＤ部８と、信号分離部９と、画像信号処理部１０と、接続部１２とを含む。
【００５９】
そして、図１０に示すように、ハードディスクレコーダ装置１０２のハードディスクドライブ５ａは、制限条件等を記憶可能に構成されているとともに、受信部３により受信した映像音声信号を記憶可能に構成されている。そして、接続部１２は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ；登録商標）端子等を含み、表示装置１０３と、ケーブル１０４を介して映像音声信号および制御信号等を送受信可能に構成されている。
【００６０】
また、図１０に示すように、表示装置１０３は、ＣＰＵ１３と、接続部１４と、表示部１５とを含む。接続部１４は接続部１２と同様にＨＤＭＩ端子等を含み、ケーブル１０４を介して、ハードディスクレコーダ装置１０２と映像音声信号および制御信号等を送受信可能に構成されている。なお、表示部１５は、本発明の「外部表示部」の一例である。
【００６１】
そして、図１０に示すように、ＣＰＵ１ｂは、ユーザの操作に基づいて、予約録画可能に構成されている。具体的には、ＣＰＵ１ｂは、ケーブル１０４を介して、表示装置１０３の表示部１５に、電子番組表（図７参照）を表示させる制御を行うとともに、ユーザの操作に基づいて、電子番組表に含まれる番組を選択可能に構成されている。そして、ＣＰＵ１ｂは、選択された番組が放送される際に、受信部３により受信された選択された番組に対応する映像音声信号を取得して、映像音声信号をハードディスクドライブ５ａに記憶する制御を行うように構成されている。
【００６２】
また、ハードディスクレコーダ装置１０２のＣＰＵ１ｂは、第１実施形態によるテレビジョン装置１００と同様に、表示部１５に制限条件に基づいて番組情報を表示制限処理を行うとともに、制限条件を識別可能な表示態様を用いて電子番組表を表示する制御を行うように構成されている。これにより、ユーザは、制限条件を識別することが可能である。その結果、ハードディスクレコーダ装置１０２は、制限条件に応じて、ユーザの操作によりパレンタルロック（視聴制限）を解除することが可能であるとともに、制限条件に応じて、ユーザの操作により視聴制限を解除された番組を予約録画することが可能に構成されている。また、第３実施形態によるハードディスクレコーダ装置１０２のその他の構成は、第１実施形態におけるテレビジョン装置１００と同様である。
【００６３】
第３実施形態では、以下のような効果を得ることができる。
【００６４】
第３実施形態では、上記のように、ハードディスクレコーダ装置１０２は、受信部３が受信した複数の番組情報に基づいて、電子番組表を表示装置１０３の表示部１５に表示する制御を行うように構成されているＣＰＵ１ｂを備え、ＣＰＵ１ｂを、表示制限処理を行った番組情報の制限条件がユーザに識別可能なように、電子番組表を表示装置１０３の表示部１５に表示する制御を行うように構成する。これにより、電子番組表において表示制限処理が行われた所定の番組情報の制限条件に基づいて、視聴制限の対象となっている番組が視聴制限する必要があるか否かをユーザに判断させることができる。また、ハードディスクレコーダ装置１０２を予約録画可能に構成することにより、ハードディスクレコーダ装置１０２は、表示制限処理が行われた所定の番組が視聴制限の対象で、かつ、ユーザにとって視聴制限する必要がない番組を、ユーザの操作に基づいて、所定の番組の視聴制限を解除することができるとともに、視聴制限を解除された番組の予約録画を行うことができる。また、第３実施形態によるハードディスクレコーダ装置１０２のその他の効果は、第１実施形態におけるテレビジョン装置１００と同様である。
【００６５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６６】
たとえば、上記第１〜第３実施形態では、本発明の受信装置として、テレビジョン装置およびハードディスクレコーダ装置を用いる例を示したが、本発明はこれに限られない。本発明は、受信装置として、テレビジョン装置およびハードディスクレコーダ装置以外の受信装置を用いてもよい。たとえば、セットトップボックス装置を用いてもよい。
【００６７】
また、上記第１〜第３実施形態では、本発明の制限条件をユーザの操作により設定可能に構成する例を示したが、本発明はこれに限られない。本発明は、制限条件をユーザの操作以外により設定可能に構成してもよい。たとえば、制限条件を、テレビジョン放送波に含まれるパレンタルロックのレーティング情報に対応させて設定するように構成してもよい。
【００６８】
また、上記第１〜第３実施形態では、本発明の制限条件を、番組名と、番組キーワードと、放送時間帯と、番組ジャンル名と、番組出演者名と、放送局情報とのうちの少なくとも１つを含むように構成する例を示したが、本発明はこれに限られない。本発明は、番組名と、番組キーワードと、放送時間帯と、番組ジャンル名と、番組出演者名と、放送局情報と以外の情報を制限条件に含めてもよい。
【００６９】
また、上記第１〜第３実施形態では、本発明の識別可能な文字の例として、番組名と、番組ジャンル名と、番組出演者名とのうちの少なくとも１つを含む例を示したが、本発明はこれに限られない。本発明は、番組名と、番組ジャンル名と、番組出演者名と以外の文字を識別可能な文字として含んでもよい。たとえば、キーワードを識別可能な文字としてもよい。
【００７０】
また、上記第１〜第３実施形態では、本発明の制限条件が識別可能な背景の例として、電子番組表の欄の背景の表示色を変更する例を示したが、本発明がこれに限られない。本発明は、制限条件が識別可能な背景の例として、電子番組表の欄の背景の表示色以外を変更してもよい。たとえば、電子番組表の欄の背景に模様が表示されている場合には、制限条件が識別可能な模様を電子番組表の欄の背景に表示するように構成してもよい。
【００７１】
また、上記第１実施形態では、本発明の制限条件が識別可能な表示態様の設定として、複数の制限条件（図４参照）を同時に設定する例を示したが、本発明は、これに限られない。本発明は、制限条件が識別可能な表示態様の設定として、制限条件を個別に設定するように構成してもよい。
【００７２】
また、上記第１〜第３実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００７３】
１、１ａ、１ｂ  ＣＰＵ（制御部）
２、１５  表示部（内蔵表示部、外部表示部）
３  受信部
１００、１０１  テレビジョン装置（受信装置）
１０２  ハードディスクレコーダ装置（受信装置）
【図１】
2015162867.tif 000003
【図２】
2015162867.tif 000004
【図３】
2015162867.tif 000005
【図４】
2015162867.tif 000006
【図５】
2015162867.tif 000007
【図６】
2015162867.tif 000008
【図７】
2015162867.tif 000009
【図８】
2015162867.tif 000010
【図９】
2015162867.tif 000011
【図１０】
2015162867.tif 000012